(57)【要約】【課題】  ガスワイピング時の騒音や振動を抑制しつつ，鋼板のエッジ部のオーバーコートを抑制する。【解決手段】  ガスワイピングノズル３の本体１０には，鋼板Ｈの幅方向に長いスリット状のガス吹出口１１と，ガス導入口と，ガス導入口から導入されたガスをガス吹出口１１に流通させるガス流通室１３が形成されている。また，ガス流通室１３の長手方向の両側には，ガス流通室１３内におけるガスの流れを遮断する遮断ベルト３０が配置されている。遮断ベルト３０は，ガス流通室１３の端部から中央部に向けて進退自在で，ガス流通室１３の端部から移動先までの間のガスの流れを遮断できる。これにより，ガスワイピングノズル３の両側部から吹き出されるガスを遮断し，鋼板Ｈの両端部よりも内側の領域にのみガスを吹き付けることができる。【選択図】  図８
2006274381.tif 000002
【特許請求の範囲】
【請求項１】
鋼帯表面にガスを吹き付けて，鋼帯表面の溶融めっきの付着量を調整するガスワイピングノズルであって，
鋼帯の幅方向に長いスリット状のガス吹出口を有する本体を備え，
前記本体には，ガス導入口と，当該ガス導入口から導入されたガスを前記ガス吹出口に流通させるガス流通室が形成され，
前記ガス流通室は，前記ガス吹出口に沿って細長に形成され，
前記ガス流通室の長手方向の両側には，ガス流通室内におけるガスの流れを遮断する遮断部材が配置され，
前記遮断部材は，前記ガス流通室の端部から中央部に向けて進退自在で，その中央部側に近い遮断部材の先端部から前記ガス流通室の端部までの間のガスの流れを遮断できるように構成されていることを特徴とする，ガスワイピングノズル。
【請求項２】
前記ガス流通室は，前記ガス導入口からガスが流入する第１のガス流通室と，前記ガス吹出口が開口する第２のガス流通室に区画され，
第１のガス流通室と第２のガス流通室との間には，第１のガス流通室と第２のガス流通室を接続する接続流路が形成され，
前記接続流路は，前記ガス流通室の長手方向の両端部間にわたり形成されており，
前記遮断部材は，前記接続流路内に配置され，当該接続流路内を進退できることを特徴とする，請求項１に記載のガスワイピングノズル。
【請求項３】
前記第１のガス流通室と第２のガス流通室との間には，第１のガス流通室に流入したガスの圧力を均一化するための二枚の邪魔板が並べて設けられ，
前記接続流路は，前記二枚の邪魔板間の隙間に形成されていることを特徴とする，請求項２に記載のガスワイピングノズル。
【請求項４】
前記遮断部材は，本体の端部に設けられた回転軸に巻き取られており，前記回転軸の回転により，前記ガス流通室の端部から中央部に向けて進退できることを特徴とする，請求項１〜３のいずれかに記載のガスワイピングノズル。
【請求項５】
前記ガス吹出口の長手方向の両側には，前記ガス吹出口の一部を閉鎖する閉鎖部材がそれぞれ設けられ，
前記閉鎖部材は，前記ガス吹出口の長手方向に沿って移動自在に構成されていることを特徴とする，請求項１〜４のいずれかに記載のガスワイピングノズル。
【請求項６】
前記各閉鎖部材は，前記ガス流通室の長手方向の同じ側にある前記遮断部材と対応し，
前記閉鎖部材は，対応する遮断部材と一体的に移動するように形成されていることを特徴とする，請求項５に記載のガスワイピングノズル。
【請求項７】
前記本体の上面には，鋼帯にガスを吹き出すサブノズルが設けられており，
前記サブノズルは，前記本体の上面において，前記ガス吹出口の長手方向に沿って移動自在に構成され，
前記閉鎖部材と前記遮断部材は，前記サブノズルと一体的に移動するように形成されていることを特徴する，請求項６に記載のガスワイピングノズル。
【請求項８】
前記閉鎖部材の表面は，クロムめっきされていることを特徴とする，請求項５〜７のいずれかに記載のガスワイピングノズル。
【請求項９】
前記本体には，前記回転軸を回転駆動する回転駆動部が設けられ，
前記遮断部材は，前記回転駆動部により駆動されることを特徴とする，請求項２〜６のいずれかに記載のガスワイピングノズル。
【請求項１０】
前記遮断部材は，ステンレス鋼又はセラミックファイバーにより形成されていることを特徴とする，請求項１〜９のいずれかに記載のガスワイピングノズル。
【請求項１１】
前記ガス吹出口は，対向配置された二つの本体先端部の間に形成されており，その各本体先端部の端部は，ガスの吹出し方向に対し９０°以下の鋭角に形成されていることを特徴とする，請求項１〜１０のいずれかに記載のガスワイピングノズル。
【請求項１２】
請求項１〜１１のいずれかに記載のガスワイピングノズルを用いたガスワイピング装置であって，
前記ガスワイピングノズルは，鋼帯の両面にそれぞれ設けられ，
前記各ガスワイピングノズルのガス吹出口の位置は，ガス吹出口の隙間に０．１〜０．２ｍｍを加えた長さ分だけ相互にずらされていることを特徴とする，ガスワイピング装置。
【発明の詳細な説明】
【技術分野】
【０００１】
本発明は，鋼帯表面にガスを吹き付けて，鋼帯表面の溶融めっきの付着量を調整するガスワイピングノズルと，そのガスワイピングノズルを用いたガスワイピング装置に関する。
【背景技術】
【０００２】
例えば鋼板の溶融亜鉛めっき工程では，溶融亜鉛めっき槽から連続的に引き上げられた鋼板に対しガスを供給して，鋼板のめっきの付着量を調整するガスワイピングが行われている。このガスワイピングは，移送される鋼板の両側に配置されたガスワイピングノズルにより行われている。
【０００３】
ガスワイピングノズルは，例えば鋼板の幅方向の長さに対応する細長形状を有し，ガスワイピングノズルには，その長手方向に沿ってガスを吹き出すスリット状のガス吹出口が形成されている。そして，ガスワイピングノズルのガス吹出口から，鋼板の幅方向の一端部から他端部にわたる直線上にガスを吹き付け，そのガスにより鋼板表面の溶融亜鉛めっきを均すことにより，ガスワイピングが行われている。
【０００４】
ところで，ガスワイピングでは，鋼板の幅方向の両端部の付着量が他の部分よりも多くなる，エッジ部のオーバーコートが問題となっている。これは，鋼板の切れ目があるエッジ部付近にガスの乱流が生じることなどに起因している。
【０００５】
そこで，上述のエッジ部のオーバーコートを低減するために，例えばガスワイピングノズルのガス吹出口にガス流調整板を横から挿入し，ガスワイピングノズルの両端部から吹き出されるガスを制限することが提案されている（例えば，特許文献１参照。）。
【０００６】
【特許文献１】実開平６−４７３５５号公報
【発明の開示】
【発明が解決しようとする課題】
【０００７】
しかしながら，上述の場合，ガス流調整板や当該ガス流調整板を進退させる基板が，鋼板から飛散しためっきにより汚染される。このため，例えばガス流調整板の汚れがガスワイピングノズルの挿入ガイドやガス吹出口に付着し，ガス流調整板のガス吹出口への挿入動作が不良になる。ガス流調整板などの汚れを考慮して，ガス流調整板と挿入ガイドとの間の隙間やガス吹出口を広めに形成すると，ガス吹出し時の騒音や振動が増大する。特に，近年では，鋼板の処理が高速化し，さらにめっきの付着量（目付け量）が薄くなっているため，ガスの噴出圧が高圧になっており，騒音や振動の問題が顕著に現れている。
【０００８】
また，上述の場合，鋼板の両面にある二つのガスワイピングノズルに対し，一枚のガス流調整板を挿入させているので，各ガスワイピングノズルの位置や向きを適正な位置に調整することができなかった。
【０００９】
本発明は，かかる点に鑑みてなされたものであり，ガスワイピング時の騒音や振動を抑制しつつ，ガスワイピングノズルの位置調整を可能にし，なおかつ鋼帯のエッジ部のオーバーコートを抑制することをその目的とする。
【課題を解決するための手段】
【００１０】
上記目的を達成するための本発明は，鋼帯表面にガスを吹き付けて，鋼帯表面の溶融めっきの付着量を調整するガスワイピングノズルであって，鋼帯の幅方向に長いスリット状のガス吹出口を有する本体を備え，前記本体には，ガス導入口と，当該ガス導入口から導入されたガスを前記ガス吹出口に流通させるガス流通室が形成され，前記ガス流通室は，前記ガス吹出口に沿って細長に形成され，前記ガス流通室の長手方向の両側には，ガス流通室内におけるガスの流れを遮断する遮断部材が配置され，前記遮断部材は，前記ガス流通室の端部から中央部に向けて進退自在で，その中央部側に近い遮断部材の先端部から前記ガス流通室の端部までの間のガスの流れを遮断できるように構成されていることを特徴とする。
【００１１】
本発明によれば，遮断部材により，ガス吹出口の両端部から吹き出されるガスを遮断することができるので，鋼帯の幅方向の両端部におけるガスの流れを整流し，鋼帯の端部のオーバーコートを抑制できる。また，遮断部材が本体内に設けられているので，鋼帯から飛散しためっきにより汚染されることがない。これにより，従来のように汚染を考慮して例えばガス吹出口などを広めに形成する必要がなく，吹き出し時の騒音や振動を抑制することができる。また，ガスワイピングノズルの位置を自由に調整することもできる。
【００１２】
前記ガス流通室は，前記ガス導入口からガスが流入する第１のガス流通室と，前記ガス吹出口が開口する第２のガス流通室に区画され，第１のガス流通室と第２のガス流通室との間には，第１のガス流通室と第２のガス流通室を接続する接続流路が形成され，前記接続流路は，前記ガス流通室の長手方向の両端部間にわたり形成されており，前記遮断部材は，前記接続流路内に配置され，当該接続流路内を進退できてもよい。
【００１３】
前記第１のガス流通室と第２のガス流通室との間には，第１のガス流通室に流入したガスの圧力を均一化するための二枚の邪魔板が並べて設けられ，前記接続流路は，前記二枚の邪魔板間の隙間に形成されていてもよい。
【００１４】
前記遮断部材は，本体の端部に設けられた回転軸に巻き取られており，前記回転軸の回転により，前記ガス流通室の端部から中央部に向けて進退できるようにしてもよい。
【００１５】
前記ガス吹出口の長手方向の両側には，前記ガス吹出口の一部を閉鎖する閉鎖部材がそれぞれ設けられ，前記閉鎖部材は，前記ガス吹出口の長手方向に沿って移動自在に構成されていてもよい。また，前記各閉鎖部材は，前記ガス流通室の長手方向の同じ側にある前記遮断部材と対応し，前記閉鎖部材は，対応する遮断部材と一体的に移動するように形成されていてもよい。
【００１６】
前記本体の上面には，鋼帯にガスを吹き出すサブノズルが設けられており，前記サブノズルは，前記本体の上面において，前記ガス吹出口の長手方向に沿って移動自在に構成され，前記閉鎖部材と前記遮断部材は，前記サブノズルと一体的に移動するように形成されていてもよい。なお，前記閉鎖部材の表面は，クロムめっきされていてもよい。
【００１７】
前記本体には，前記回転軸を回転駆動する回転駆動部が設けられ，前記遮断部材は，前記回転駆動部により駆動されるようにしてもよい。
【００１８】
前記遮断部材は，ステンレス鋼又はセラミックファイバーにより形成されていてもよい。
【００１９】
前記ガス吹出口は，対向配置された二つの本体先端部の間に形成されており，その各本体先端部の端部は，ガスの吹出し方向に対し９０°以下の鋭角に形成されていてもよい。
【００２０】
別の観点による本発明によれば，請求項１〜１１のいずれかに記載のガスワイピングノズルを用いたガスワイピング装置であって，前記ガスワイピングノズルは，鋼帯の両面にそれぞれ設けられ，前記各ガスワイピングノズルのガス吹出口の位置は，ガス吹出口の隙間に０．１〜０．２ｍｍを加えた長さ分だけ相互にずらされていることを特徴とするガスワイピング装置が提供される。
【発明の効果】
【００２１】
本発明によれば，ガスワイピング時の騒音や振動を低減できる。また，鋼帯面内のめっきの付着量を均一化できる。
【発明を実施するための最良の形態】
【００２２】
以下，本発明の好ましい実施の形態について説明する。図１は，本実施の形態にかかるガスワイピングノズルを備えた溶融亜鉛めっき装置１の構成を示す説明図である。
【００２３】
溶融亜鉛めっき装置１は，溶融亜鉛めっきが貯留される溶融亜鉛めっき槽２と，一対のガスワイピングノズル３を備えている。溶融亜鉛めっき槽２内には，ロール４が配置され，斜め上方から溶融亜鉛めっき槽２内に搬送された鋼帯としての鋼板Ｈを上方に向きを変えて送り出すことができる。ガスワイピングノズル３は，ロール４を通過して垂直方向に引き上げられた鋼板Ｈの両面に対向配置されている。この一対のガスワイピングノズル３により，ガスワイピング装置５が構成されている。
【００２４】
ガスワイピングノズル３は，例えば図２に示すように鋼板Ｈの幅方向に沿って長い略直方体形状の本体１０を有している。本体１０の鋼板Ｈ側には，傾斜面が形成され，本体１０の鋼板Ｈ側は，鋼板Ｈに近づくにつれて先細になっている。本体１０の鋼板Ｈ側の先端部には，例えば鋼板Ｈの幅方向の長さ程度のスリット状のガス吹出口１１が形成されている。例えば本体１０の上面には，図示しないガス供給源に通じる複数のガス供給管１２が接続されている。
【００２５】
図３に示すように本体１０の内部には，ガス流通室１３が形成されている。ガス流通室１３は，図４に示すように本体１０の長手方向の両側部にわたって形成され，例えばガス吹出口１１と同じ長さに形成されている。本体１０の上部には，図３に示すようにガス供給管１２に通じるガス導入口１４が形成されている。ガス導入口１４から導入されたガスは，ガス流通室１３を通ってガス吹出口１１から噴出される。
【００２６】
ガス流通室１３は，例えば二枚の邪魔板としての整流板２０，２１によって，第１のガス流通室２２と第２のガス流通室２３に区画されている。第１のガス流通室２２は，ガス吹出口１１と反対側の本体１０の背面側に配置されている。ガス導入口１４は，この第１のガス流通室２２の天井面に開口している。第２のガス流通室２３は，本体１０のガス吹出口１１側に配置されている。ガス吹出口１１は，この第２のガス流通室２３の鋼板Ｈ側の側面に開口している。
【００２７】
二枚の整流板２０，２１は，例えばＬ字形状を有し，例えば図４に示すようにガス流通室１３の長手方向の一端部から他端部にわたって形成されている。第１の整流板２０は，図３に示すように第１のガス流通室２２側の底面に取り付けられている。第２の整流板２１は，第２のガス流通室２３側の天井面に取り付けられている。第１の整流板２０と第２の整流板２１は，Ｌ字の内角側が互いに向き合うように取り付けられている。
【００２８】
第１の整流板２０は，ガス流通室１３の底面から天井面側に向かう垂直面２０ａを有し，その垂直面２０ａと天井面との間には，隙間（第１水平流路）Ｄ１が形成されている。第２の整流板２１は，第１の整流板２０の垂直面２０ａに平行な垂直面２１ａを有している。第２の整流板２１の垂直面２１ａと第１の整流板２０の垂直面２０ａとの間には，垂直方向に延びる隙間（接続流路としての垂直流路）Ｄ２が形成されている。第２の整流板２１の垂直面２１ａは，例えばガス流通室１３の天井面から底面側に向けて延伸し，その垂直面２１ａと底面との間には，隙間（第２水平流路）Ｄ３が形成されている。かかる構成により，ガス導入口１４から第１のガス流通室２２に流入したガスは，整流板２０，２１による狭小の流路Ｄ１，Ｄ２，Ｄ３を順に通り，第２のガス流通室２３に流入して，当該第２のガス流通室２３のガス吹出口１１から噴出される。整流板２０，２１により，ジグザグ状の狭小のガス流路が形成されるので，ガス導入口１４からの流入ガスが抵抗を受け，第１のガス流通室２２におけるガスの圧力が均一化される。
【００２９】
図４に示すように垂直流路Ｄ２内には，遮断部材としての二つの遮断ベルト３０が配置されている。遮断ベルト３０は，ガス流通室１３の長手方向の両側部付近にそれぞれ配置されている。遮断ベルト３０は，例えば図５に示すように垂直方向に幅のある帯状に形成されている。遮断ベルト３０の厚みは，垂直流路Ｄ２におけるガスの流れを遮断し，なおかつ垂直流路Ｄ２内を移動できるように，垂直流路Ｄ２の幅よりも薄く形成されている。遮断ベルト３０は，例えば剛性に優れたステンレス鋼から構成された帯やセラミックスファイバーを絨毯状に編みこんだ帯により形成されている。
【００３０】
例えば図４に示すようにガス流通室１３の外側の本体１０の両端部には，例えば垂直流路Ｄ２に通じる空間Ａが形成されている。各空間Ａには，それぞれ回転軸３１が設けられている。遮断ベルト３０は，回転軸３１に巻きつけられ，先端側が垂直流路Ｄ２内に挿入されている。図２に示すように本体１０の上面には，二つの回転駆動部３２が設けられており，回転軸３１は，各回転駆動部３２により回転駆動できる。この回転軸３１の回転によって，図４に示すように遮断ベルト３０は，ガス流通室１３の長手方向の端部から中央部側に向けて進退できる。これにより，遮断ベルト３０が延びた範囲，つまりガス流通室１３の端部から遮断ベルト３０の先端までの間の垂直流路Ｄ２を閉鎖できる。したがって，垂直流路Ｄ２の長手方向の両側にある遮断ベルト３０によって，ガス流通室１３の両端部におけるガスの流れを遮断できる。また，遮断ベルト３０の長さを調整することにより，ガスの流れを遮断する範囲を調整できる。
【００３１】
各遮断ベルト３０の先端には，第２のガス流通室２３側に向けて延びる接続板４０が取り付けられている。図５に示すように接続板４０は，遮断ベルト３０の下端部に取り付けられ，その下端部から第２水平流路Ｄ３を通って第２の流通室２３内まで到達している。接続板４０の第２のガス流通室２３側の先端部には，プレート支持台４１が取り付けられている。プレート支持台４１上には，閉鎖部材としてのサイドプレート４２が取り付けられている。サイドプレート４２は，例えば厚みが薄い方形に形成され，先端部がガス吹出口１１内に挿入されている。このサイドプレート４２により，ガス吹出口１１を部分的に閉鎖できる。サイドプレート４２は，各遮断ベルト３０の先端と同じ位置で移動し，ガス吹出口１１の両端部におけるガスの吹出しを遮断できる。サイドプレート４２は，例えばステンレス鋼により形成され，その表面にはクロムめっきが施されている。
【００３２】
図６に示すようにガス吹出口１１は，上下の本体先端部１０ａに挟まれて形成されている。各本体先端部１０ａの端部は，ガスの吹出し方向に対する角度θが９０°以下，好ましくは２５°程度の鋭角になるように形成されている。
【００３３】
図７に示すように，例えばワイピングノズル３の上方の鋼板Ｈの搬送ラインには，鋼板Ｈの幅方向の各端部の位置を検出する二つのセンサ６０が設けられている。各センサ６０は，鋼板Ｈの幅方向に沿って設けられたボールねじ６１に取り付けられ，ボールねじ６１の駆動部６２により鋼板Ｈの幅方向に移動できる。各センサ６０による検出結果は，制御部６３に出力される。制御部６３は，センサ６０からの情報に基づいて駆動部６２を制御し，ボールねじ６１を回転させて，センサ６０を鋼板Ｈの端部の位置に追従させることができる。また，制御部６３は，鋼板Ｈの端部の位置情報に基づいて，ガスワイピングノズル３の回転駆動部３２の動作を制御し，遮断ベルト３０とサイドプレート４２の位置を制御できる。したがって，鋼板Ｈの端部の位置に応じて，各遮断ベルト３０と各サイドプレート４２を移動させて，ガス吹出口１１からガスが吹き出す範囲を調整できる。
【００３４】
次に，以上のように構成されたガスワイピングノズル３の動作について説明する。
【００３５】
例えばセンサ６０によって鋼板Ｈの幅方向の両端部の位置が検出され，その鋼板Ｈの両端部の位置に応じて，ガスワイピングノズル３内の各遮断ベルト３０と各サイドプレート４２の位置が調整される。各遮断ベルト３０は，図８に示すように先端が鋼板Ｈの両端部よりも内側に移動される。このとき，各サイドプレート４２も，鋼板Ｈの両端部よりも内側に移動される。そして，鋼板Ｈにガスを吹き付ける際には，ガス導入口１４から導入されたガスが，第１のガス流通室２２，垂直流路Ｄ２，第２のガス流通室２３を通じて，ガス吹出口１１から噴出される。このとき，遮断ベルト３０により，ガス流通室１３の両側部のガスが遮断され，ガス流通室１３内には，鋼板Ｈの幅よりも狭い範囲のガスの流路が形成される。また，サイドプレート４２によりガス吹出口１１の両側部が閉鎖され，ガス吹出口１１において，鋼板Ｈの幅よりも狭い範囲でガスが吹き出される。この結果，鋼板Ｈには，鋼板Ｈの端部よりも内側にのみガスが吹き付けられ，鋼板Ｈに衝突したガスは中心部側から端部側に向けて一様に流れる。これにより，鋼板Ｈの両端部におけるガスの乱流の発生が抑制される。
【００３６】
以上の実施の形態によれば，ガスワイピングノズル３の本体１０内に，ガス流通室１３の両側部におけるガスの流れを遮断する遮断ベルト３０を設けたので，ガスの吹き出し領域を鋼板Ｈの幅よりも狭い範囲に限定し，鋼板Ｈの端部におけるガスの乱流の発生を抑制できる。これにより，鋼板Ｈの端部における溶融亜鉛めっきのオーバーコートを抑制できる。遮断ベルト３０は，ガスワイピングノズル３の内部に設けられており，鋼板Ｈから飛散する亜鉛めっきにより汚染されることがない。このため，長期にわたり使用しても遮断ベルト３０の動作が不良となることがない。また，従来のように汚れを考慮して吹出口などを広めに形成する必要がなく，ガス噴出時の騒音や振動を低減できる。また，ガスワイピングノズル３の位置を個別に調整できる。
【００３７】
以上の実施の形態によれば，ガスワイピング３の本体１０内に，二つのガス流通室２２，２３を形成し，その間に整流板２０，２１を設けたので，第１のガス流通室２２においてガスの圧力を均一化し，その後，ガス吹出口１１から一様な流速でガスを噴出することができる。この結果，鋼板Ｈの面内におけるめっきの付着量をより均一に調整することができる。
【００３８】
遮断ベルト３０を二枚の整流板２２，２３の間に挟んで移動させるようにしたので，ガスワイピングノズル３内の遮断ベルト３０の進退動作を円滑に行うことができる。また，遮断ベルト３０のガイドを別途設ける必要がないので，ガスワイピングノズル３の構成を単純化できる。
【００３９】
ガス吹出口１１の両側に，サイドプレート４２を設けたので，ガス吹出口１１の両側部からのガスの吹き出しを完全に停止させることができる。これにより，鋼板Ｈの端部におけるガス流の制御をより厳格に行うことができる。サイドプレート４２を遮断ベルト３０と一体的に移動できるようにしたので，サイドプレート４２の駆動機構を別途設ける必要がなく，ガスワイピングノズル３の構成を単純化できる。
【００４０】
サイドプレート４２にクロムめっきが施されたので，サイドプレート４２の鋼板Ｈ側の露出面にめっきが付着するのを防止できる。
【００４１】
本体１０の先端部１０ａの端部の角度θを９０°以下にしたので，ガス吹出口１１から吹き出されるガスの直進性が増し，ガスが鋼板Ｈに衝突した際のめっきの飛散が低減される。
【００４２】
以上の実施の形態では，遮断ベルト３０及びサイドプレート４２の駆動を，回転軸３１の回転駆動部３２により行っていたが，ガスワイピングノズル３の上面に設けられたサブノズルによって行ってもよい。
【００４３】
図９は，かかる一例を示すものであり，例えばガスワイピングノズル３の本体１０の上面には，鋼板Ｈに対してガスを吹き出す二つのサブノズル８０が設けられている。サブノズル８０は，例えば本体１０の上面の長手方向の両側に配置されている。サブノズル８０の鋼板Ｈ側には，スリット状の吹出口８０ａが形成されている。各サブノズル８０は，本体１０の長手方向に延びるボールねじ８１に取り付けられ，ボールねじ８１の駆動部８２により長手方向に沿って移動できる。サブノズル８０は，例えば上記実施の形態の回転駆動部３２と同様に，センサ６０からの鋼板Ｈの端部の位置情報に基づいて制御部６３により所定の位置に移動される。
【００４４】
各サブノズル８０は，接続部材８３により，本体１０のガス吹出口１１内のサブプレート４２により接続されている。サブプレート４２は，図１０に示すようにガス吹出口１１の先端から僅かに突出しており，そのサブプレート４２の突出部４２ａに接続部材８３が接続されている。図８に示すようにサブノズル８０は，吹出口８０ａがサブプレート４２よりも内側に位置するように接続されている。かかる構成により，サブノズル８０の移動に伴い，サブプレート４２がガス吹出口１１内を長手方向に移動でき，このサブプレート４２の移動により，遮断ベルト３０がガス流通室１３内を移動できる。
【００４５】
そして，鋼板Ｈの溶融亜鉛めっき工程では，センサ６０によって，鋼板Ｈの幅方向の両端部の位置が検出され，その位置情報に基づいて，サブノズル８０が鋼板Ｈの両端部よりも僅かに内側の位置に移動する。これに連動して，サブプレート４２及び遮断ベルト３０が上述したワイピングノズル３の両側部付近の所定の位置に移動する。そして，鋼板Ｈに対してガスが吹き付けられる際には，上記実施の形態と同様に，ガス導入口１４から導入したガスが第１のガス流通室２２，垂直流路Ｄ２，第２のガス流通室２３を通ってガス吹出口１１から吹き出される。ガス流通室１３の両端部付近のガスは，垂直流路Ｄ２の遮断ベルト３０により遮断され，鋼板Ｈの両端部よりも内側の領域にのみガスが吹き付けられる。これにより，鋼板Ｈの端部における乱流の発生が抑制される。さらに，サブノズル８０からも，鋼板Ｈの端部よりも僅かに内側の領域にガスが吹き出される。このサブノズル８０からのガスの吹き出しにより，鋼板Ｈの端部の内側の部分により多くのガスが供給され，鋼板Ｈの端部付近において内側から外側に向けて流れるガス流が強くなるので，鋼板Ｈの端部付近の亜鉛を中央部分に比べてより多く払拭できる。また，ワイピング後も亜鉛が固まるまで，鋼板Ｈの端部の表面に内側から外側に流れる強いガス流を形成できるので，鋼板Ｈのエッジ部に塗布されたオーバーコート分の亜鉛を平坦に均すことができる。この結果，鋼板Ｈの端部におけるオーバーコートがより一層抑制される。
【００４６】
かかる場合，サブノズル８０の駆動を利用して，遮断ベルト３０及びサブプレート４２を移動させることができるので，遮断ベルト３０の専用の駆動機構を別途設ける必要がなく，その分ガスワイピングノズル３の構成や駆動系を単純化できる。なお，サブノズル８０の駆動機構は，この例に限られず，他の構成を有するものであってもよい。
【００４７】
以上の実施の形態で記載した一対のガスワイピングノズル３を備えたガスワイピング装置５において，ガスワイピングノズル３の吹き出し位置を互いにずらすようにしてもよい。例えば図１１に示すようにガス吹出口１１の隙間Ｂに０．１ｍｍ〜０．２ｍｍ加えた長さＣ（Ｃ＝Ｂ＋０．１〜０．２）だけ，ガスワイピングノズル３の互いのガス吹き出し位置をずらすようにしてもよい。こうすることにより，鋼板Ｈにおけるガスの吹き付け位置が若干ずれるので，例えば鋼板Ｈの端部の外側において鋼板両面のガスが干渉することがなく，鋼板Ｈの端部付近の乱流の発生を抑制できる。この結果，鋼板Ｈの端部付近のめっきの付着量のばらつきを抑制できる。また，鋼板Ｈの端部におけるめっきの飛散を抑制できる。
【００４８】
以上，添付図面を参照しながら本発明の好適な実施の形態について説明したが，本発明はかかる例に限定されない。当業者であれば，特許請求の範囲に記載された思想の範疇内において，各種の変更例または修正例に相到し得ることは明らかであり，それらについても当然に本発明の技術的範囲に属するものと了解される。本発明はこの例に限らず種々の態様を採りうるものである。例えば，上記実施の形態では，遮断ベルト３０にサイドプレート４２が取り付けられていたが，遮断ベルト３０だけであってもよい。かかる場合においても，ワイピングノズル３からのガスの吹き出し領域を制限できるので，鋼板Ｈ端部におけるガスの乱流を抑制できる。また，遮断ベルト３０の設置位置も，垂直流路Ｄ２内に限られず，ガス流通室１３内であれば他の位置であってもよい。遮断ベルト３０の駆動機構も他の構成であってもよい。本実施の形態では，ワイピングノズル３を溶融亜鉛めっきのガスワイピングに適用していたが，本発明は，他の金属の溶融めっき時にも適用できる。
【実施例】
【００４９】
図１２は，本発明のガスワイピングノズルを採用した場合のガスワイピングの操業可能範囲を示す図である。この図１２における操業可能範囲は，（１）騒音が１０５ｄＢ以下，（２）鋼板の幅方向のめっき付着量のばらつきが１０％以下，（３）スプラッシュによりめっきが鋼板に再付着しない，の総ての条件を満たす，めっき付着量と通板速度の範囲である。本発明によれば，従来のガスワイピングノズルを使用した場合に比べて，よりめっき付着量が少なく通板速度が速い領域で上記条件を満たし，操業が可能であることが確認できる。
【００５０】
図１３は，本発明のガスワイピングノズルを使用した場合の鋼板の幅方向のめっき付着量のばらつきを示すグラフである。図１３におけるめっき付着量のばらつきは，十数回のガスワイピングを試行し，その各回の鋼板面内のめっき付着量を計測し，その鋼板の中央部と両端部のめっき付着量のばらつきを平均化したものである。本発明によれば，従来のガスワイピングノズルを使用した場合に比べて，鋼板面内におけるめっき付着量のばらつきが減少されることが確認できる。
【産業上の利用可能性】
【００５１】
本発明は，ガスワイピング時の騒音や振動を抑制しつつ，鋼帯の端部のオーバーコートを抑制する際に有用である。
【図面の簡単な説明】
【００５２】
【図１】溶融亜鉛めっき装置の構成を示す模式図である。
【図２】ガスワイピングノズルの斜視図である。
【図３】ガスワイピングノズルの縦断面図である。
【図４】ガスワイピングノズルの横断面図である。
【図５】遮断ベルトがある部分のガスワイピングノズルの縦断面図である。
【図６】ガスワイピングノズルの先端部の縦断面図である。
【図７】センサが配置された鋼板の搬送ラインの側面図である。
【図８】鋼板にガスを吹き付けている状態を示すガスワイピングノズルと鋼板の横断面図である。
【図９】サブノズルを備えたガスワイピングノズルの斜視図である。
【図１０】サブノズルを備えたガスワイピングノズルの縦断面図である。
【図１１】ガスの吹き出し位置をずらした場合のガスワイピングの縦断面図である。
【図１２】本発明のガスワイピングノズルの操業可能範囲を示すグラフである。
【図１３】本発明のガスワイピングノズルを用いた場合の鋼板面内のめっき付着量のばらつきを示すグラフである。
【符号の説明】
【００５３】
３    ガスワイピングノズル
１０  本体
１１  ガス吹出口
１３  ガス流通室
Ｄ２  垂直流路
３０  遮断ベルト
４２  サイドプレート
Ｈ    鋼板
【図１】
2006274381.tif 000003
【図２】
2006274381.tif 000004
【図３】
2006274381.tif 000005
【図４】
2006274381.tif 000006
【図５】
2006274381.tif 000007
【図６】
2006274381.tif 000008
【図７】
2006274381.tif 000009
【図８】
2006274381.tif 000010
【図９】
2006274381.tif 000011
【図１０】
2006274381.tif 000012
【図１１】
2006274381.tif 000013
【図１２】
2006274381.tif 000014
【図１３】
2006274381.tif 000015